(57)【要約】【課題】構造が簡単で製作コストが安価となり、しかも、金属板を現場で屈曲させるだけで緩み止めが得られるので、締結作業の簡略化を図ることができるボルト、ナットの緩み止め座金を提供する。【解決手段】緩み止め座金１を形成するプレート３に、螺軸挿入孔２を設けると共に、このプレート３の周縁に、一面側へ屈曲して被締結物に係合することでプレート３を回り止め状にする一対の係止片４と、被締結物を締め付けたボルトの頭部もしくはナットの外側面に重なるように折り曲げる一対の可曲片５とが設けてある。【選択図】  図２
2004225817.tif 000002
【特許請求の範囲】
【請求項１】
螺軸挿入孔を設けたプレートの周縁に、このプレートの一面側に屈曲し、被締結物に係合することでプレートを回り止め状にする係止片と、被締結物を締め付けたボルトの頭部もしくはナットの外面に重なるように折り曲げる可曲片とを設けたボルト、ナットの緩み止め座金。
【請求項２】
上記プレートは、折り曲げ可能な金属板を用い、螺軸挿入孔と同軸心で、ボルトの頭部もしくはナットが平面的に納まる外径の半円状弧状部に矩形状部を連ねた平面形状に形成され、上記矩形状部の先端側に、係止片と可曲片が設けられ、係止片は矩形状部の両側の位置で折り曲げ形成され、可曲片は両係止片間の位置に二枚が、プレートの他面側に向けて傾斜するよう設けられている請求項１に記載のボルト、ナットの緩み止め座金。
【発明の詳細な説明】
【０００１】
【発明の属する技術分野】
この発明は、各種構造物を締結したボルトやナットを緩み止め状態にするための緩み止め座金に関する。
【０００２】
【従来の技術】
例えば、構造物を構成する二つの部材を固定化するための方法として、溶接による固定やボルト、ナットによる締結が一般に用いられているが、溶接による固定は、溶接設備が必要なり、工場での組み立てや現場での施工に手間と時間がかかるため、ボルト、ナットによる締結が多く採用されている。
【０００３】
ボルトによる締結方法は、互いに固定化せんとする二つの部材の一方にボルトの挿通孔と他方にねじ孔を設け、挿通孔からねじ孔にボルトを螺締することによって締結するようにしている。
【０００４】
また、ナットによる締結方法は、互いに固定化せんとする二つの部材にボルトの挿通孔を設け、挿通孔に挿入したボルトの螺軸にナットを螺締することによって締結するようにしたり、二つの部材の一方に螺軸を固定し、他方部材の挿通孔を螺軸に挿通した状態で螺軸にナットを螺締することによって締結するようにしている。
【０００５】
このようなボルト、ナットによる締結において、振動等を受けることにより、締結後にボルト、ナットが緩むことがあるため、ボルト、ナットを回り止め状にするための緩み止め手段が用いられている。
【０００６】
従来の緩み止め手段としては、例えば、特開２００１−２８０３２８号に提案されているように、二枚の座金を螺軸に挿入し、両座金間にゼンマイバネを巻き込ませた状態で組み込み、このゼンマイバネで常に座金同士を離隔させ続ける楔作用で、螺軸に螺合したナットの緩み止めを行うものがある。
【０００７】
【発明が解決しようとする課題】
ところで、上記のような緩み止め手段は、構成部品数が多く、製作コストが高くつくだけでなく、締結の現場において、構成部品を組み立てながら締結しなければならず、締結作業に手間がかかるという問題がある。
【０００８】
そこで、この発明の課題は、一枚の座金でボルト、ナットの緩み止めが行え、構造が簡単で製作コストが安価となり、しかも、金属板を現場で屈曲させるだけで緩み止めが得られるので、締結作業の簡略化を図ることができるボルト、ナットの緩み止め座金を提供することにある。
【０００９】
【課題を解決するための手段】
上記のような課題を解決するため、この発明は、螺軸挿入孔を設けたプレートの周縁に、このプレートの一面側に屈曲し、被締結物に係合することでプレートを回り止め状にする係止片と、被締結物を締め付けたボルトの頭部もしくはナットの外面に重なるように折り曲げる可曲片とを設けた構成を採用したものである。
【００１０】
上記プレートは、折り曲げ可能な金属板を用い、螺軸挿入孔と同軸心で、ボルトの頭部もしくはナットが平面的に納まる外径の半円状弧状部に矩形状部を連ねた平面形状に形成され、上記矩形状部の先端側に、係止片と可曲片が設けられ、係止片は矩形状部の両側の位置で折り曲げ形成され、可曲片は両係止片間の位置に二枚が、プレートの他面側に向けて傾斜するよう設けられている構成とすることができる。
【００１１】
上記のような緩み止め座金は、ボルト、ナットによる締結時に、ボルトや螺軸に螺軸挿入孔を挿入することにより被締結物上に重ね、プレートの周縁に設けた係止片を被締結物の側縁に係合させ、ボルトのねじ込みもしくはナットの締め付けを行い、この後、可曲片をボルトの頭部もしくはナットの外面に重なるように折り曲げれば、プレートが係止片で被締結物に対して回り止め状となり、可曲片で、このプレートに対してボルトの頭部もしくはナットが回り止め状となるので、ボルトもしくはナットの緩み止めが得られることになる。
【００１２】
【発明の実施の形態】
以下、この発明の実施の形態を図示例と共に説明する。
【００１３】
図示のように、緩み止め座金１は、折り曲げ可能な厚さ１．２ｍｍや１．６ｍｍの金属板を用い、螺軸挿入孔２を設けたプレート３が、螺軸挿入孔２と同軸心で、ボルトＡの頭部Ｂもしくはナットが平面的に納まる外径の半円状弧状部３ａに矩形状部３ｂを連ねた平面形状に形成され、上記矩形状部３ｂの先端側に、プレート３の一面側に屈曲し、被締結物に係合することでプレート３を回り止め状にする係止片４と、被締結物を締め付けたボルトＡの頭部Ｂもしくはナットの外側面に重なるように折り曲げる可曲片５とを設けた構造になっている。
【００１４】
上記係止片４は矩形状部３ｂの両側の位置で下向きに直角の状態で折り曲げ形成され、可曲片５は両係止片４間の位置に二枚が、プレート３の上面側に向けて湾曲もしくは斜め上向きに１０°程度の角度で傾斜するよう設けられている。
【００１５】
これら係止片４と可曲片５は、プレート３の矩形状部３ｂに、一対の切れ目とその間に切り欠きを設け、切れ目と側縁の間を途中から下向きに折り曲げることにより係止片４を形成し、また、可曲片５は一対の切れ目と切り欠きの間に二枚が並列するよう設けられ、上方に向けて湾曲するように形付けされている。
【００１６】
図１と図２（Ａ）は、上記緩み止め座金１を、二つの被締結部材を結合するボルトＡの緩み止めに使用した例を示し、ボルトＡで締結する図示例の二つの被締結部材は、一方がＨ型鋼を用いた建物の梁材６であり、他方が角パイプを用いた柱材７である。
【００１７】
上記柱材７は、端部に端板８を嵌め込んで溶接９により固定し、端板８の各コーナ部分の合計四箇所の位置に、ボルトＡをねじ込むためのねじ孔１０が設けられている。
【００１８】
また、梁材６のフランジ６ａには、上記各ねじ孔１０の該当する位置にボルト挿通孔１１が設けられ、この梁材６を挟んで上下に柱材７を結合することができるようにしている。
【００１９】
この発明の緩み止め座金１は、上記のような構成であり、上記したボルトＡを用いて梁材６と柱材７を結合するときに使用する。
【００２０】
先ず、梁材６と柱材７をねじ孔１０とボルト挿通孔１１が一致するように重ね合わせた状態で、螺軸挿入孔２がボルト挿通孔１１に一致すると共に、一対の係止片４が梁材６のフランジ６ａの側縁に係合するようにフランジ６ａに緩み止め座金１を重ね、次に、ボルトＡの軸部Ｃを螺軸挿入孔２からボルト挿通孔１１に挿入し、端板８のねじ孔１０にねじ込み、梁材６と柱材７を締結する。
【００２１】
このとき、緩み止め座金１は、両側の係止片４がフランジ６ａの側縁に係合しているので、フランジ６ａに対して回り止めの状態となり、ボルトＡのねじ込み時に共回りすることがない。
【００２２】
上記ボルトＡの締め付け完了後に、ハンマー等の工具を用いて可曲片５をボルトＡの頭部Ｂに向けて叩き込み、この可曲片５を頭部Ｂに対する際の部分から折り曲げ、図１（Ｂ）と図２（Ａ）のように、頭部Ｂの外側面に重なるようにする。
【００２３】
上記可曲片５は、予め上方に屈曲しているので、ボルトＡの頭部Ｂに向けての叩き込みが支障なく行えると共に、可曲片５は二枚が並列しているので、締め込んだボルトＡの頭部Ｂにおいて、その外側面の角縁がどのような位相にあっても、可曲片５を頭部Ｂの外側面に重なるように折り曲げることができる。
【００２４】
このように、緩み止め座金１の可曲片５を頭部Ｂの外側面に重なるように折り曲げると、可曲片５が頭部Ａに対して回転方向に係合し、緩み止め座金１に対してボルトＡは回り止め状となり、緩み止め座金１自体は係止片４がフランジ６ａの側縁に係合して回り止め状になっているので、ボルトＡの緩み止め状態が得られることになる。
【００２５】
なお、ボルトＡの締め付け時に緩み止め座金１の供回り発生をなくすため、図１（Ｂ）のように、緩み止め座金１とボルトＡの頭部Ｂの間に平座金１２を介在させるようにしてもよいと共に、緩み止め座金１の使用は、図示したボルトＡの緩み止めに限定されるものではなく、螺軸に螺合したナットの緩み止めにも同様に使用することができる。
【００２６】
【発明の効果】
以上のように、この発明によると、螺軸挿入孔を設けたプレートの周縁に、被締結物に係合することでプレートを回り止め状にする係止片と、被締結物を締め付けたボルトの頭部もしくはナットの外面に重なるように折り曲げる可曲片とを設けたので、ボルト、ナットの緩み止め座金を一枚の金属板で形成することができ、緩み止め座金の構造が簡単となり、その製作コストが安価となり、しかも、現場で可曲片を屈曲させるだけで緩み止めが得られるので、ボルト、ナットによる締結作業の簡略化による能率向上を図ることができる。
【図面の簡単な説明】
【図１】（Ａ）はこの発明に係る緩み止め座金の使用例を示す正面図、（Ｂ）は同上の要部を拡大した縦断面図
【図２】（Ａ）は同じく使用例を示す要部を拡大した横断平面図、（Ｂ）は緩み止め座金の斜視図
【図３】（Ａ）はこの発明に係る緩み止め座金の平面図、（Ｂ）は同正面図
【符号の説明】
１    緩み止め座金
２    螺軸挿入孔
３    プレート
３ａ  半円状弧状部
３ｂ  矩形状部
４    係止片
５    可曲片
６    梁材
７    柱材
８    端板
９    溶接
１０  ねじ孔
１１  ボルト挿通孔
１２  座金
Ａ    ボルト
Ｂ    頭部
Ｃ    軸部
【図１】
2004225817.tif 000003
【図２】
2004225817.tif 000004
【図３】
2004225817.tif 000005